(57)【要約】【課題】最も経済的で、効果的に、人命を保護する消火装置を提供する。【解決手段】化学式消火装置５を一室に集中させて設置し、マスターコントロール１を介して各火災警報制御盤２を接続し設定した後、各階あるいは各エリア毎に火災警報制御盤２がモニタリングを行なうことによって、モニターモジュール３が火災を探知あるいは感知した時、そのモニターモジュール３がただちに感知した火災情報を火災警報制御盤２に転送して処理する。火災情報が表示されると、ただちに電磁バルブ４が始動し、電磁バルブ４が起動されると、化学式消火装置５が起動する。化学式消火装置５が起動された時、その化学式消火装置５内部の化学成分（例えばＣＯ2）が輸送パイプを経由して火災エリアあるいは機械室に送られて、火災エリアあるいは機械室の火を消火する。【選択図】図３
0003130508.tif 000002
【実用新案登録請求の範囲】
【請求項１】
少なくとも１個の火災警報制御盤がマスターコントロールと１つ前及１つ次のレベルの火災警報制御盤とネット上で接続されているマスターコントロールと、
モニタリングされる場所あるいは機械に配置され、前記火災警報制御盤に電気的に接続される少なくとも１つのモニターモジュールと、
前記火災警報制御盤に電気的に接続され、火災警報制御盤が出力する信号を受けて駆動する少なくとも１つの複数の電磁バルブと、
前記電磁バルブに接続し、ビルの地下フロアあるいは離れた同一場所に集中して取り付けられる少なくとも１つの化学式消火装置本体と、
を備えることを特徴とする集中させて機台に設備する化学式消火装置。
【請求項２】
前記マスターコントロールは、コンピューターであることを特徴とする請求項１に記載の化学式消火装置。
【請求項３】
前記マスターコントロールは、ＬＡＮカード及びＲＳ‐４８５転送インターフェースを介して、どの火災警報制御盤にもネット上で接続されることを特徴とする請求項１に記載の化学式消火装置。
【請求項４】
前記火災警報制御盤は、ＬＡＮカード及びＲＳ‐４８５転送インターフェースを介して、マスターコントロール及びどの火災警報制御盤にも接続されることを特徴とする請求項１に記載の化学式消火装置。
【請求項５】
前記火災警報制御盤は、その内部の操作システムにＵＮＩＣＯＤＥ技術が採用されて、中国語の操作画面がサポートされていることにより、モジュラー設計であることを特徴とする請求項１に記載の化学式消火装置。
【請求項６】
前記火災警報制御盤は、最高で１０個の回路が配置可能であり、どの回路も環状、非環状、Ｔ型接続法のいずれかをサポートすることを特徴とする請求項１に記載の化学式消火装置。
【請求項７】
前記どの回路板も１５９の探知装置及び１５９のモジュールをサポートし、同時にディクリース（decrease）操作方式をサポートすることを特徴とする請求項６に記載の化学式消火装置。
【請求項８】
前記火災警報制御盤は、アラーム、故障、モニタリング、安全リレー（Relay）が内蔵されていることを特徴とする請求項１に記載の化学式消火装置。
【請求項９】
前記火災警報制御盤は、直線入力／出力回路カードの差し込み口の設置が可能であることを特徴とする請求項１に記載の化学式消火装置。
【請求項１０】
前記火災警報制御盤は、大きな連動式のコードプログラム機能を有することにより、ＯＦＦラインプログラム設計あるいは制御盤上の文字や数字のキーボードにおける直接プログラム設計が可能であることを特徴とする請求項１に記載の化学式消火装置。
【請求項１１】
前記火災警報制御盤は、リセットボタン、エンターボタン、及びミュートボタンと、複数のステータスランプとを有することで、表示装置を利用しなくてもよいことを特徴とする請求項１に記載の化学式消火装置。
【請求項１２】
前記火災警報制御盤は、ＶＩＥＷ早期警報探知機、ＨＡＲＳＨ探知機、及び煙熱複合式探知機をサポートすることを特徴とする請求項１に記載の化学式消火装置。
【請求項１３】
前記火災警報制御盤は、複数の異なるレベルの警報敏感度及び予報警報敏感度設定機能内蔵であることを特徴とする請求項１に記載の化学式消火装置。
【請求項１４】
前記火災警報制御盤は、複数の一般火災エリア区別、プログラム式ロジック区別、プログラム式故障区別、及び気体消火コントロールエリア設定機能を有することを特徴とする請求項１に記載の化学式消火装置。
【請求項１５】
監視モジュールは、火災探知機として使用可能であることを特徴とする請求項１に記載の化学式消火装置。
【請求項１６】
監視モジュールは、機械の故障チェックが可能であることを特徴とする請求項１に記載の化学式消火装置。
【請求項１７】
監視モジュールは、熱探知器として使用可能であることを特徴とする請求項１に記載の化学式消火装置。
【請求項１８】
監視モジュールは、手動スイッチとなることを特徴とする請求項１に記載の化学式消火装置。
【請求項１９】
監視モジュールは、ブザーとなることを特徴とする請求項１に記載の化学式消火装置。
【請求項２０】
監視モジュールは、火災からの機械保護機能を有することを特徴とする請求項１に記載の化学式消火装置。
【請求項２１】
監視モジュールは、機械の隔離機能を有することを特徴とする請求項１に記載の化学式消火装置。
【請求項２２】
前記化学式消火装置本体は、一般にスチール製のボンベ式の消火器であることを特徴とする請求項１に記載の化学式消火装置。
【請求項２３】
前記化学式消火装置本体は、複数の輸送パイプが接続され、前記輸送パイプは延長されて、各フロアのモニタリングされている場所や機械に配置されることを特徴とする請求項２２に記載の化学式消火装置。
【請求項２４】
少なくとも１個の圧力チェック装置は、火災警報制御盤及び化学式消火装置本体に連結し、前記圧力チェック装置は、スチールのボンベ式消火器内部の圧力をチェックすることを特徴とする請求項１に記載の化学式消火装置。
【考案の詳細な説明】
【技術分野】
【０００１】
本考案は機台に設備する化学式消火装置に関し、特に集中させて機台に設備する化学式消火装置に関する。
【背景技術】
【０００２】
火災のほとんどは人為的な原因によるものである。したがって、火災の発生を未然に防ぐための消防設備及びシステムが数多く設計されている。
例えば、多くの建築物の天井には消防用の噴水パイプ経路が設置されている。経路の一端には噴水用のヘッドが配置されていて、噴水用ヘッドの内部にはサーモセンサーが設置されている。火災が発生した時、その燃焼温度がセンサーが感知する温度に達した時、その噴水ヘッドがただちにパイプ内の水を噴出して消火を行なう。
【０００３】
このタイプの消防設備は消防車のはしごが届かない階層あるいは機械室、あるいは、人の出入りが少ない場所、あるいは、無人の状態で使用されるのに適している。特に、現在の精密機器の工場内では、工場内の精密機械設備の安全を確保するため、さらに、精密機械設備の事故によってその他の機械設備等の安全に影響を及ぼして正常な作動を妨げるのを回避するために、各精密機械設備Ｍのそばにそれぞれ化学式消火装置Ｆが設置されている。図１に示すように、化学式消火装置Ｆの設置は、操作する者が機械設備Ｍに事故が発生したり、緊急に消防設備が必要になったりした場合にこれを使用することで、機械設備Ｍの破損程度を最低限にし、その他の機械設備Ｍに影響が及ぶのを回避し、あるいは、化学式消火装置Ｆの設置によって、常に安全を点検することにより、工場内の全ての精密機械設備Ｍの安全を確保して、正常な生産活動が行なえるようにする。
【考案の開示】
【考案が解決しようとする課題】
【０００４】
しかしながら、このような設計は、事故が発生した機械設備の損失を最低限に留めて、その他の機械設備の安全を確保するものの、周知のように、前述の化学式消火装置Ｆの主な消火素子は、ＣＯ2であり、このＣＯ2は機械のそばに置かれている。言い換えれば、このＣＯ2は機械を操作する者のそばにあるということになる。このことは、化学式消火装置Ｆに故障が発生したり、漏れたりした場合に、機械を操作する者の生命が脅かされることになる。さらに、工場内の全ての機械設備のそばにＣＯ2用の容器あるいはボンベ（Ｆ１）が置かれていることは、工場内にいる者の生命の安全が脅かされているだけでなく、同時に、場所を取って空間を占領する上、化学式消火装置Ｆが分散して設置されていることは管理やメンテナンスも難しいという問題がある。
本考案は、従来の設備機台上の消火装置の問題を解決し、最も経済的で、効果的に、人命を保護する消火装置を提供することを課題とする。
【課題を解決するための手段】
【０００５】
上述の課題を解決するために、本考案の集中させて機台に設備する化学式消火装置は、化学式消火装置を一室に集中させて設置し、マスターコントロールを介して各火災警報制御盤を接続し設定した後、各階あるいは各エリア毎に火災警報制御盤がモニタリングを行なうことによって、モニターモジュールが火災を探知あるいは感知した時、そのモニターモジュールがただちに感知した火災情報を火災警報制御盤に転送して処理する。火災情報が表示されると、ただちに電磁バルブが始動し、電磁バルブが起動されると、化学式消火装置が起動する。化学式消火装置が起動された時、その化学式消火装置内部の化学成分（例えばＣＯ2）が輸送パイプを経由して火災エリアあるいは機械室に送られて、火災エリアあるいは機械室の火を消火することで、化学式消火装置が人から離れて設置され、その生命の安全を確保すると同時に化学式消火装置の管理及びメンテナンスが便利であり、さらに、工場内の空間の節約も可能である。
【０００６】
上述の課題を解決するために、本考案の集中させて機台に設備する化学式消火装置は、全ての化学式消火装置を一室に集中させ、さらに、マスターコントロール、複数の火災警報制御盤、複数のモニターモジュール、複数の電磁バルブ、及び複数の圧力チェック装置を組み合わせることで構成されて、ＣＯ2あるいはその他の化学消火物質を有する化学式消火装置を人から離して設置することで、人の生命の安全を確保する。さらに、化学式消火装置の管理及びメンテナンスが便利であり、さらに、工場内の空間の節約も可能である。同時に、火災が発生した時、速やかに消火作業を行なうので、火災が延焼するのを回避し、人の生命及び財産の安全を確保することを特徴とする。
【０００７】
（考案の効果）
上述の課題を解決するために、本考案の集中させて機台に設備する化学式消火装置は、全ての化学式消火装置を一室に集中させ、さらに、マスターコントロール、複数の火災警報制御盤、複数のモニターモジュール、複数の電磁バルブ、及び複数の圧力チェック装置を組み合わせることで構成されて、ＣＯ2あるいはその他の化学消火物質を有する化学式消火装置を人から離して設置することで、人の生命の安全を確保する。さらに、化学式消火装置の管理及びメンテナンスが便利であり、さらに、工場内の空間の節約も可能である。同時に、火災が発生した時、速やかに消火作業を行なうので、火災が延焼するのを回避し、人の生命及び財産の安全を確保するという効果がある。
【考案を実施するための最良の形態】
【０００８】
図２及び図３を参照しながら説明する。これは、本考案の一実施例による集中させて機台に設備する化学式消火装置を示す図及びそのブロック図である。図に示すように、本実施例の集中させて機台に設備する化学式消火装置は、主に化学式消火装置を集中させ、さらに、離れた場所に配置し、インターネットによるモニタリング方式を通して、離れた場所に取り付けた化学式消火装置がモニタリングする場所（機械設備）で発生した火災あるいはその他の事故に対して、消火あるいは救助するためにモニタリングを行なう。
【０００９】
上述の集中させて機台に設備する消火システムは、マスターコントロール１、複数の火災警報制御盤２、複数のモニターモジュール３、複数の電磁バルブ４、複数の化学式消火装置５、及び複数の圧力チェック装置６から構成される。
上述のマスターコントロール１は、コンピューターによって、マスターコントロール１がＬＡＮカード（図には示されていない）及びＲＳ‐４８５転送インターフェース１１を介して、全ての火災警報制御盤２とネット上で接続されて、ネットモニタリング回路を構成する。
【００１０】
火災警報制御盤２が、ＬＡＮカード（図には示されていない）及びＲＳ‐４８５転送インターフェース１１を介して、マスターコントロール１及び１つ前あるいは１つ次のレベルの火災警報制御盤に接続されることにより、火災モニタリングネットワークが形成される。この火災警報制御盤２は、各フロアに設置され、その内部の操作システムにはＵＮＩＣＯＤＥ技術が採用されて、中国語の操作画面がサポートされていることにより、モジュラー設計によってシステムの配置がフレキシブルに行なえ、最高で１０個の回路が配置できる。どの回路も環状、非環状、Ｔ型接続法のいずれかをサポートし、どの回路板も１５９の探知装置及び１５９のモジュールをサポートする。同時に、ディクリース（decrease）操作方式をサポートし、効果的にＵＴＰケーブルを使用する。さらに、アラーム、故障、モニタリング、安全リレー（Relay）が内蔵されている。また、火災警報制御盤２は、直線入力／出力回路カードの差し込み口の設置が可能で、大きな連動式のコードプログラム機能を有することにより、ＯＦＦラインプログラム設計あるいは制御盤上の文字や数字のキーボードにおいて直接プログラム設計ができる。リセット、エンター、及びミュートボタンと、複数のステータスランプとを有することで、表示装置を利用しなくても、ＶＩＥＷ早期警報探知機、ＨＡＲＳＨ探知機、及び煙熱複合式探知機をサポートして、複数の異なるレベルの警報敏感度及び予報警報敏感度設定機能内蔵により、複数の一般火災エリア区別、プログラム式ロジック区別、プログラム式故障区別、及び気体消火コントロールエリア設定機能を有する。
【００１１】
モニターモジュール３は、モニタリングする場所あるいは機台に配置され、上述の火災警報制御盤２に電気的に接続される。この監視モジュールはまた上述のいわゆる探知機であり、機械の故障チェックが可能であってもよく、火災探知機、熱探知器、手動スイッチ、ブザーであってもよく、火災からの機械保護、機械の隔離等機能を有してもよく、これらの情報を探知し、この探知信号をモニターモジュール２に転送する。
電磁バルブ４は、全ての火災警報制御盤２に電気的に接続されて、火災警報制御盤２が出力する信号を受けて駆動する。
【００１２】
化学式消火装置５は、一般にスチール製のボンベ式の消火器で、電磁バルブ４に接続されて、ビルの地下フロアあるいは離れた場所に集中して取り付けられる。同時に、複数の輸送パイプが接続され、この輸送パイプは延長されて、各フロアのモニタリングされている場所や機械に配置される。前述の電磁バルブ４が駆動されると、消火器内部の化学成分をコントロールして、輸送パイプを通して各フロアのモニタリングされている場所や機械に送られて消火を行なうことができる。
圧力チェック装置６は、火災警報制御盤２及び化学式消火装置５に連結し、圧力チェック装置６は、スチールのボンベ式消火器内部の圧力をチェックし、それによって得た圧力信号を火災警報制御盤２に送ることで、どのエリアのスチールボンベ式消火器内部の化学消火成分が使い切ったかを知ることができるようになっている。
【００１３】
本実施例の集中させて機台に設備する化学式消化システムを起動する時、まずマスターコントロール１がネットを通して、各火災警報制御盤２に接続して設定した後、各フロアあるいは各エリアの火災警報制御盤２によってモニタリングする。例えば、Ａエリアのモニターモジュール３が火災を探知した時、このモニターモジュール３はただちに探知した火災信号を火災警報制御盤２に送って処理する。火災警報制御盤２のモニターにはただちに火災情報が表示される。そして、電磁バルブ４を作動させる。電磁バルブ４が起動した時、地下フロアに取り付けられた化学式消火装置５が起動し、化学式消火装置５が起動されると、消火器内部の化学成分が輸送パイプを通してＡエリアに送られる。この化学成分はただちに輸送パイプから噴出してＡエリアの消火にあたる。
【００１４】
モニターモジュール３が手動スイッチの時、ガードマンあるいはビルの管理人がモニタリングしている場所あるいは機械に火災が発生した時、直接手動で起動させて、信号を火災警報制御盤２に送り処理する。火災警報制御盤２のモニターに直ちに火災情報が表示されて、電磁バルブ４を作動させる。電磁バルブ４が作動されると、地下フロアに取り付けられている化学式消火装置５が起動し、化学式消火装置５が起動されると、消火器内部の化学成分が輸送パイプを通して火災エリアに送られて、直ちに火災エリアの消火にあたる。
以上、本考案の実施例を図面を参照して詳述してきたが、具体的な構成は、これらの実施例に限られるものではなく、本考案の要旨を逸脱しない範囲の設計変更などがあっても、本考案に含まれる。
【図面の簡単な説明】
【００１５】
【図１】従来の化学式消火装置を示す模式図である。
【図２】本考案の一実施例による化学式消火装置を示す模式図である。
【図３】本考案の一実施例による化学式消火装置を示すブロック図である。
【符号の説明】
【００１６】
Ｍ：機台設備、１：マスターコントロール、３：モニターモジュール、１１：ＲＳ‐４８５転送インターフェース、２：火災警報制御盤、４：電磁バルブ、５：化学式消火装置、６：圧力チェック装置
【図１】
0003130508.tif 000003
【図２】
0003130508.tif 000004
【図３】
0003130508.tif 000005